(57)【要約】【課題】  患者に信頼性の高い情報を提示する。【解決手段】  本明細書に開示の画像表示装置は、患者の頭部を示す画像を表示部に表示させる表示制御部と、毛髪の再生効率を含む前記頭部に関連するパラメータの変更を受け付ける受付部と、を備え、前記表示制御部は、前記パラメータの変更に基づいた前記頭部の態様を表示することを特徴とする。【選択図】  図４
2020183887.tif 000002
【特許請求の範囲】
【請求項１】
患者の頭部を示す画像を表示部に表示させる表示制御部と、
毛髪の再生効率を含む前記頭部に関連するパラメータの入力を受け付ける受付部と、
を備え、
前記表示制御部は、前記パラメータの入力に基づいた前記頭部の態様を表示することを特徴とする画像表示装置。
【請求項２】
前記再生効率とは、上皮系細胞と間葉系細胞とを含む細胞を前記患者の頭部に注入した場合に毛髪が再生する確率であることを特徴とする請求項１に記載の画像表示装置。
【請求項３】
前記患者の頭部を示す画像は、前記患者の頭部を撮像した画像もしくは前記画像を加工して得られた加工画像のうち少なくともいずれか１つの画像であることを特徴とする請求項１または２に記載の画像表示装置。
【請求項４】
前記頭部に関連するパラメータは、前記頭部における施術面積、施術を行う毛髪の本数、前記毛髪の単価もしくは前記毛髪の流れる方向のうち少なくとも１つをさらに含むことを特徴とする請求項１乃至３のいずれか１項に記載の画像表示装置。
【請求項５】
前記施術面積は、前記患者の頭部を示す画像に対してユーザが指定した領域の面積であることを特徴とする請求項４に記載の画像表示装置。
【請求項６】
前記施術面積は、前記患者の頭部を示す画像においてユーザが数値を入力することにより指定される少なくとも３点以上の複数の座標で囲まれる領域の面積であることを特徴とする請求項４に記載の画像表示装置。
【請求項７】
前記表示制御部は、前記頭部に関連するパラメータから算出される費用をさらに前記表示部に表示させることを特徴とする請求項１乃至６のいずれか１項に記載の画像表示装置。
【請求項８】
前記毛髪の再生効率は、前記患者の患者情報と細胞の情報の少なくともいずれか一方に基づいて算出されることを特徴とする請求項１乃至７のいずれか１項に記載の画像表示装置。
【請求項９】
前記患者情報は、前記患者の年齢、前記患者の国籍、前記患者の性別もしくは前記患者の頭部の状態を示す情報のうち少なくともいずれか１つの情報を含むことを特徴とする請求項８に記載の画像表示装置。
【請求項１０】
前記細胞の情報は、細胞群を構成する細胞の使用細胞種、細胞の培養条件もしくは細胞の注入条件のうち少なくともいずれか１つの情報を含むことを特徴とする請求項８に記載の画像表示装置。
【請求項１１】
前記表示制御部は、互いに異なるパラメータに基づいた複数の前記頭部の態様を表示部に表示させることを特徴とする請求項１乃至１０のいずれか１項に記載の画像表示装置。
【請求項１２】
前記表示制御部は、第１の再生効率に基づいた前記頭部の態様と、前記第１の再生効率よりも低い第２の再生効率に基づいた前記頭部の態様とを表示部に表示させることを特徴とする請求項１乃至１１のいずれか１項に記載の画像表示装置。
【請求項１３】
前記表示制御部は、前記第２の再生効率に基づいた前記頭部の態様が、前記第１の再生効率に基づいた前記頭部の態様に近づくような前記パラメータの変更値を表示部に表示することを特徴とする請求項１２に記載の画像表示装置。
【請求項１４】
前記表示制御手段は、互いに異なる時刻に撮像された前記患者の頭部を示す画像を並列して表示することを特徴とする請求項１乃至１３のいずれか１項に記載の画像表示装置。
【請求項１５】
前記受付部は、前記頭部に関連するパラメータの入力を、ユーザによる数値の入力、スライドバーの操作、もしくはプルダウンの操作の少なくともいずれか１つの方法により受け付けることを特徴とする請求項１乃至１４のいずれか１項に記載の画像表示装置。
【請求項１６】
患者の頭部を示す画像を表示部に表示させる表示制御工程と、
毛髪の再生効率を含む前記頭部に関連するパラメータの入力を受け付ける受付工程と、
を備え、
前記表示制御工程は、前記パラメータの入力に基づいた前記頭部の態様を表示することを特徴とする画像表示方法。
【請求項１７】
患者の頭部を示す画像と、前記頭部における毛髪の追加量に応じて発生する費用とを、ともに表示部に表示する画像表示方法。
【請求項１８】
請求項１乃至１５のいずれか１項に記載の画像表示装置の各手段をコンピュータに実行させることを特徴とするプログラム。
【請求項１９】
請求項１乃至１５のいずれか１項に記載の画像処理装置と表示部とを備えることを特徴とする画像表示システム。
【発明の詳細な説明】
【技術分野】
【０００１】
本明細書の開示は、画像表示装置、画像表示方法、画像表示システム及びプログラムに関する。
【背景技術】
【０００２】
近年の世界的な人口増加に伴い、高齢人口も増え、薄毛に悩む人が男女ともに増えてきている。そこで現在、薄毛に対する治療法の一つとして毛包を再び形成する毛髪再生技術が注目されている。
【０００３】
毛髪再生技術として、皮膚組織片を含む地毛を採取し、そこから得られる上皮系幹細胞と間葉系幹細胞を培養して毛包原基を増殖させ、増殖させた毛包原基を手動で生体の真皮内に注入することにより毛包および毛髪を再生させる方法が知られている（特許文献１）。
【先行技術文献】
【特許文献】
【０００４】
【特許文献１】特許第５９３２６７１号明細書
【発明の概要】
【発明が解決しようとする課題】
【０００５】
しかしながら、毛髪再生にあたって患者が負担するコストは大きいため、仕上がりや負担コストを事前に把握しておきたいというニーズがあった。
【０００６】
本明細書の開示は、患者に信頼性の高い情報を提示することを目的の一つとする。
【０００７】
なお、前記目的に限らず、後述する発明を実施するための形態に示す各構成により導かれる作用効果であって、従来の技術によっては得られない作用効果を奏することも本明細書の開示の他の目的の一つとして位置付けることができる。
【課題を解決するための手段】
【０００８】
本明細書に開示の画像表示装置は、患者の頭部を示す画像を表示部に表示させる表示制御部と、毛髪の再生効率を含む前記頭部に関連するパラメータの変更を受け付ける受付部と、を備え、前記表示制御部は、前記パラメータの変更に基づいた前記頭部の態様を表示することを特徴とする。
【発明の効果】
【０００９】
本明細書の開示によれば、患者に信頼性の高い情報を提示できる。
【図面の簡単な説明】
【００１０】
【図１】本実施形態に係る画像表示システムのシステム構成の一例を示す図
【図２】本実施形態に係る画像表示システムの一例を示すブロック図
【図３】本実施形態に係る画像表示装置の処理手順の一例を示すフローチャート
【図４】本実施形態に係る画像表示方法の一例を示す図
【図５】本実施形態に係る画像表示方法の一例を示す図
【発明を実施するための形態】
【００１１】
以下、添付図面に従って本明細書に開示の画像表示システムに係る画像表示装置の好ましい実施形態について詳説する。ただし、この実施形態に記載されている構成要素はあくまで例示であり、本明細書に開示の画像表示方法の技術的範囲は、特許請求の範囲によって確定されるのであって、以下の個別の実施形態によって限定されるわけではない。また、本明細書の開示は下記実施形態に限定されるものではなく、本明細書の開示の趣旨に基づき種々の変形（各実施例の有機的な組合せを含む）が可能であり、それらを本明細書の開示の範囲から除外するものではない。即ち、後述する各実施例及びその変形例を組み合わせた構成も全て本明細書に開示の実施形態に含まれるものである。
【００１２】
＜実施形態１＞
本実施形態に係る画像表示装置は、毛髪再生にあたって、施術後の頭髪の仕上がりや施術にかかる料金を、施術前に患者に対して提示するための装置である。本実施形態に係る画像表示装置は、頭部に関連するパラメータと、患者の頭部を示す画像とを表示部に表示する。そして、各種パラメータの変更を受け付け、患者の頭部を示す画像の表示態様を表示する。例えば、ユーザが、施術面積と施術本数を増加させるように変更することにより、患者の頭部を示す画像において、より広範な領域に多くの毛髪が再生された態様に表示が変更される。また、それに伴い施術にかかる料金も連動して表示される。これにより、患者は施術後の頭髪の仕上がりや施術にかかる料金を、納得感をもって把握できる。
【００１３】
以下、図面を用いて本明細書に開示の画像表示システムに係る画像表示装置について説明する。
【００１４】
図１は本実施形態に係る画像表示システムの構成例を示す図である。本実施形態に係る画像表示システムは画像表示装置１００、撮像装置１０１を含む。画像表示装置１００と撮像装置１０１は、通信可能に接続されている。なお、本実施形態に係るシステムを構成する各装置は、それぞれが別々のハードウェアで構成されていてもよいし、全ての装置が１つのハードウェアで構成されていてもよい。すなわち、本実施形態に係るシステムの機能は、いかなるハードウェアで構成されていてもよい。
【００１５】
撮像装置１０１は、患者１０６の頭部を撮像するために用いられる。本実施形態では、表示部１０３に患者１０６の頭部状態を３次元で表示するために、撮像装置１０１は、頭部の前後方向、側面方向及び直上方向から頭部を撮像する。なお、頭部を撮像する方向は必ずしも上記の方向でなくてもよく表示部１０３に頭部を３次元表示できれば、どの角度から撮像してもよい。また、３次元表示しない場合には、例えば正面方向のみを撮像してもよい。
【００１６】
さらに、撮影方法は、例えば複数台の撮像装置１０１を異なる角度に設置し、患者１０６を撮像してもよいし、１つの撮像装置１０１を駆動しながら、複数の角度から患者１０６を撮像してもよい。また、リング状に撮像素子が配置された装置などを用いてもよい。なお、このとき撮像範囲は、頭部上部から肩口まで撮像することが望ましいが、例えば毛髪再生処理を行う領域のみを撮像してもよい。
【００１７】
画像表示装置１００は、その機能的な構成として、通信ＩＦ１１１、ＲＯＭ１１２、ＲＡＭ１１３、記憶部１１４、操作部１１５、表示部１１６、制御部１１７を備える。
【００１８】
通信ＩＦ（Ｉｎｔｅｒｆａｃｅ）１１１は、例えばＬＡＮカードで実現され、ＬＡＮ２１を介したデータベース２２といった外部装置と画像表示装置１００との間の通信を司る。ＲＯＭ（Ｒｅａｄ  Ｏｎｌｙ  Ｍｅｍｏｒｙ）１１２は、不揮発性のメモリで実現され、各種プログラム等を記憶する。ＲＡＭ（Ｒａｎｄｏｍ  Ａｃｃｅｓｓ  Ｍｅｍｏｒｙ）１１３は、揮発性のメモリで実現され、各種情報を一時的に記憶する。記憶部１１４は、例えばＨＤＤ（Ｈａｒｄ  Ｄｉｓｋ  Ｄｒｉｖｅ）で実現され、各種情報を記憶する。操作部１１５は、例えばキーボードやマウスで実現され、ユーザからの指示を制御部１１７に入力する。なお、表示部１１６が、タッチパネルである場合には、ユーザは必ずしも操作部１１５を介して指示を入力しなくてもよい。表示部１１６は、例えばディスプレイで実現され、各種情報を表示する。なお、ディスプレイは出力方法の一例であって、プロジェクターなどでもよい。また、頭部の状況をより把握しやすいようにホログラムなどを用いてもよい。制御部１１７は、例えばＣＰＵ（Ｃｅｎｔｒａｌ  Ｐｒｏｃｅｓｓｉｎｇ  Ｕｎｉｔ）で実現され、画像表示装置１００における処理を統括制御する。制御部１１７には、その機能的な構成として、画像取得部４０、受付部４１、変更部４２、表示制御部４３を備える。制御部１１７を構成する各部は、それぞれの機能を実現するためのプログラムをＣＰＵに実現させる。
【００１９】
画像取得部４０は、表示部１１６に表示させる、患者１０６の頭部を撮像した画像をデータベース２２もしくは記憶部１１４から取得する。これらの画像は３次元画像であることが望ましいが、２次元画像であってもよい。また、画像取得部４０は、データベース２２もしくは記憶部１１４から取得してきた画像に種々の画像処理を施した加工画像を取得してもよい。あるいは、患者１０６の頭部を模した画像を生成し、取得してもよい。さらに、予め記憶部１１４に記憶してあるサンプル画像を取得してもよい。そして画像取得部４０は、取得した画像を受付部４１、表示制御部４３へと出力する。
【００２０】
受付部４１は、操作部１１５を介してユーザもしくは制御部１１７が入力した操作を受け付ける。例えば、ユーザが操作部１１５を介して行う表示部１１６に表示されたパラメータの変更を受け付ける。もしくは、制御部１１７が自動で行うパラメータの入力を受け付ける。より具体的には、例えば、受付部４１は、ユーザからの、施術する毛髪の本数と毛髪の単価の入力を受け付ける。さらに、受付部４１は、制御部１１７が備える算出部（不図示）が施術する毛髪の本数と毛髪の単価の入力に基づいて算出した施術料金の入力を受け付ける。なお、受付部４１が受け付ける入力の項目は上記に限定されない。そして、受付部４１は、受け付けた入力を変更部４２へと出力する。
【００２１】
変更部４２は、受付部４１からの出力を受けてパラメータを変更する。そして、パラメータを変更した画像を新たに取得し、その画像を表示制御部４３へと送信する。
【００２２】
表示制御部４３は、変更部４２によるパラメータの変化を反映した画像もしくは、画像取得部４０から出力された画像のうち、少なくともいずれか一方を表示部１１６に表示させる。なお、変更部４２によるパラメータの変化を反映した画像もしくは、画像取得部４０から送信された画像は、それぞれ複数でもよい。例えば、互いに異なるパラメータに変更された２つの画像を変更部４２から受信し、それらの画像を表示部１１６に表示する。また、画像取得部４０から取得した互いに異なる時刻に撮像された同一患者を撮像した２つの画像を並列して表示する。なお、上記は一例であって、これに限定されない。
【００２３】
上記の画像表示装置１００の各構成要素は、コンピュータプログラムに従って機能する。例えば、制御部１１７（ＣＰＵ）がＲＡＭ１１３をワーク領域としてＲＯＭ１１２又は記憶部１１４などに記憶されたコンピュータプログラムを読み込み、実行することで、各構成要素の機能が実現される。なお、画像処理装置１００の構成要素の一部又は全ての機能が専用の回路を用いることで実現されてもよい。また、制御部１１７の構成要素の一部の機能が、クラウドコンピュータを用いることで実現されてもよい。
【００２４】
例えば、画像表示装置１００とは異なる場所にある演算装置がネットワークを介して画像表示装置１００に接続され、画像表示装置１００と演算装置がデータの送受信を行うことで、画像表示装置１００又は制御部１１７の構成要素の機能が実現されてもよい。
【００２５】
患者１０６は、システムを構成するものではないが、以下に説明する。本実施形態に係るシステムは、例えば頭部の毛髪再生にあたって事前に仕上がりや金額を確認することなどを目的として使用できる。よって、患者１０６は、頭部の毛髪再生の施術を受けようとしている人が想定される。
【００２６】
次に図２と図３を用いて、本実施形態を説明する。図２は、本件の処理手順の例を示すフローチャートである。また、図３は毛髪再生の画像表示方法の一例を示す。
【００２７】
（ステップＳ２０００：画像の取得）
ステップＳ２０００において、ユーザが操作部１１５を介して画像の取得を指示すると、画像取得部４０は、ユーザが指定した、患者１０６を撮像して得られた画像をデータベース２２から取得し、ＲＡＭ１１３に格納する。またこのとき、表示制御部４３は、データベース２２から取得された画像を表示部１１６に表示させてもよい。もしくは、記憶部１１４に記憶してある画像を読み込み、表示部１１６に表示させてもよい。なお、取得する画像は３次元画像であることが望ましいが、２次元画像でもよい。その場合、例えば、患者自身が用意した画像を用いてもよい。
【００２８】
ステップＳ２０００で取得する３次元画像の撮像・生成方法は、例えば以下のような方法が考えられる。まず、撮像時の位置ずれを防ぐため患者１０６を固定する。そして、表示部１１６に３次元で頭部の態様を表示するために撮像装置１０１を複数用いて、患者１０６の前方、側方、後方及び直上方向から撮像する。このとき、撮像範囲は頭頂部から肩口まで含まれていることが望ましい。その後、得られた画像をデータベース２２に格納する。
【００２９】
上記のように複数の撮像装置１０１を使用する場合、例えば、撮像装置１０１を３台準備し、撮像装置１０１それぞれが互いに１２０°の角度をなすよう、つまり正三角形の形に配置する。そして、それらの撮像装置１０１を患者の頭部上部から肩口まで移動させながら、１０μｍの高さ毎に撮像をし、複数の２次元画像を取得する。なお、上記の撮像方法は一例であって、患者１０６の頭部を３次元表示可能な撮像方法であればこれに限定されない。また、表示部に２次元画像を表示するのであれば、必ずしも複数の方向から撮像しなくてもよい。
【００３０】
次に、データベース２２に格納された、互いに異なる複数の角度から患者１０６を撮像して得られた２次元画像を合成して３次元の合成画像を生成する。データベース２２内に格納された画像は、それぞれの高さで撮像された２次元画像の集合である。そのため、全ての高さでの撮像結果を合成することにより３次元像の頭部画像を生成する。なお、ある高さでの画像は、焦点の合った部分と焦点が合っていない部分を含んでいる。そのため、全ての高さで撮像した画像を単純に合成すると非常に重い３次元画像になってしまう。この問題を解決するため、例えば、１枚の画像内で輝度値の高い部分のみを抜き出した後、複数の２次元画像を合成することにより焦点の合った３次元の合成画像を生成してもよい。
【００３１】
また、画像のアライメントは、例えば、頭部の特徴的な部位、ホクロ、傷、旋毛、シミ、アザなどをアライメントマークとして使用して行ってもよい。なお、上記の３次元画像の生成方法は一例であって、これに限定されない。
【００３２】
（ステップＳ２０１０：入力の受付）
ステップＳ２０１０において、受付部４１はユーザからの頭部に関連するパラメータの入力を受け付ける。頭部に関連するパラメータとは、例えば、頭部における施術面積、施術を行う毛髪の本数、毛髪の単価、毛髪の流れる方向などの施術内容に関わるパラメータを含む。また、頭部に関連するパラメータは、患者１０６の患者情報を含む。患者情報とは、例えば、患者の年齢、患者の国籍、患者の性別、患者の頭皮の状態などを含む。さらに、頭部に関連するパラメータは、患者の頭部に注入する細胞の情報を含む。細胞の情報とは、例えば、細胞の状態、使用細胞種（ｉＰＳ細胞／頭皮から抽出した細胞など）、もしくは細胞の培養条件（日数、栄養／酸素供給状態、培地種等）、細胞の注入条件などを含む。なお、頭部に関連するパラメータは上記に限定されず、毛髪再生の施術結果に関わるあらゆるパラメータが該当する。
【００３３】
ユーザによるパラメータの入力は、マウスやキーボード等の操作部１１５を介して行われてもよいし、表示部１１６がタッチパネルであれば、ユーザがタッチペンなどにより表示部１１６に対して入力を行ってもよい。また、図４では、受付部４２がユーザによる各パラメータの数値入力を受け付ける例を示しているが、上記に限定されず、プルダウンやスライドバーなどの操作による入力を受け付けてもよい。
【００３４】
以下で、ユーザによる各種パラメータの入力について詳述する。
【００３５】
まず初めに、ユーザは施術面積を入力する。具体的には、例えば、図４（ａ）に示すように、ユーザは、領域１タブを押下した後に毛髪を再生したい領域を指定する。これにより、指定された領域の施術面積が入力される。領域の指定方法としては、例えば、ユーザが操作部１１５を介して施術対象となる領域をドラッグアンドロップすることにより指定しても良い。また、より細かい位置を指定するためにユーザが数値を入力することにより座標を指定し、それらの点が囲む領域を指定してもよい。なお、この場合、ユーザは、少なくとも３点以上の座標を指定することが望ましい。さらに、ユーザが、頭部を示す画像上の１つの点と施術面積を入力することにより、指定された点を中心とした、施術面積分の方形もしくは円形の領域が指定されてもよい。また、指定する領域は複数であってもよい。この場合、例えば、図４に示すように領域１、領域２のように指定してもよいし、領域ごとに、異なる領域の指定方法をとってもよい。
【００３６】
なお、施術領域の指定方法は上記に限定されず、施術面積を決定可能な種々の方法により実現される。
【００３７】
次に、ユーザは施術する毛髪の本数を入力する。具体的には、例えば、図４（ａ）に示すように、ユーザが入力欄に数値を入力する。なお、毛包の再生には、頭部に細胞を注入する必要があることから、入力欄の項目は注入する細胞群の数でもよい。
【００３８】
なお、ここでいう細胞群とは、上皮系細胞と間葉系細胞とを少なくとも含む複数の細胞の集合体である。間葉系細胞と上皮系細胞は毛髪再生能を有する毛包原基を形成するために少なくとも必要となる細胞である。間葉系細胞は、間葉組織由来の細胞とその細胞を培養して得られる細胞の少なくとも一方を示している。例えば、毛乳頭細胞や真皮毛根鞘細胞、各種万能細胞などから得られる。上皮系細胞は、上皮組織由来の細胞とその細胞を培養して得られる細胞の少なくとも一方を示している。例えば、外毛根鞘最外層や毛母基部の上皮系細胞、各種万能細胞などから得られる。毛包原基は、毛包の基となる組織であり、上記の間葉系細胞と上皮系細胞を含む細胞群から構成されている。例えば、頭皮にレーザなどで穿った穿孔に対して上皮系細胞及び間葉系細胞が吐出され、その２つの細胞から構成される毛包原基が毛包を形成する。そして形成された毛包から毛幹を有する毛が形成および伸長する。すなわち、毛包原基は、毛包を形成し、且つ再生される毛の基となる。また、穿孔は毛包の一部である。これらの細胞数の比率は、毛髪再生の観点からは１：１であることが望ましく、間葉系細胞と上皮系細胞の合計細胞数は１０００〜１００００程度あれば、毛包原基を形成することができる。なお、細胞数の比率や細胞数は必ずしも上記の値でなくてもよい。
【００３９】
また、ユーザは、図４（ａ）に示すように施術を行う毛髪の総量だけでなく、１孔当たりの施術する毛髪の本数を入力してもよい。通常、毛髪は毛穴１孔当たり２〜３本生えているため、例えば２または３の数値を入力すると良い。なお、入力する数値は上記に限定されない。また、初期値として所定の数値が入力されている構成でもよい。さらに、ユーザが入力する数値は必ずしも整数でなくても良い。
【００４０】
また、図４（ｂ）に示すように施術面積と施術間隔を入力することにより、これらから施術する毛髪の本数を自動で算出してもよい。
【００４１】
次に、ユーザが毛髪再生の再生効率を入力する。再生効率とは、間葉系細胞と上皮系細胞を含む細胞を患者１０６の皮膚に注入した際に毛髪が再生する確率を示している。毛髪再生においては、植毛などと異なり、施術した場合であっても再生効率によっては毛髪が必ずしも所望の位置に生え揃わない可能性がある。そのため、再生効率を考慮した、より信頼度の高い仕上がりを患者１０６に提示するために、本実施形態に係る画像表示装置１００は、再生効率を入力可能な構成を有する。
【００４２】
再生効率は、ユーザが任意の数値を入力してもよいし、施術を行う患者の患者情報や細胞の状態等から制御部１１７が算出した値を入力値としてもよい。また、所定の値が初期値として予め入力されていてもよい。
【００４３】
なお、ステップＳ２０１０で入力を受け付ける項目は上記に限定されず、例えば、図４（ｃ）に示すような毛髪再生に関わるオプションを入力可能にしてもよい。オプションを利用する場合、オプションタブを押下する。本実施形態では、旋毛の位置を指定することができる。例えば、毛髪が頭部全域にわたって後退している場合には、旋毛の位置を指定することにより、自然な仕上がりを実現できる。旋毛の位置を指定する方法として、例えばＸ座標とＹ座標に数値を入力することにより位置を指定する。また、旋毛の位置指定だけでなく、髪の毛の流れを変更できるオプションを設定してもよい。また、所望の髪色や髪質を設定可能にしてもよい。これにより、さらに自然な仕上がり提示することができる。
【００４４】
（ステップＳ２０２０：態様の変更）
ステップＳ２０２０において、変更部４２は、入力された各種頭部に関連するパラメータに基づいて頭部の態様を変更する。例えば、入力部４１が、ユーザによる施術する毛髪の本数を増やす入力を受け付けた場合、変更部４２は、より多くの毛髪が再生された状態の頭部の態様へと変更する。なお、上記は一例であってこれに限定されない。
【００４５】
（ステップＳ２０３０：表示部に表示）
ステップＳ２０３０において、表示制御部４３は、図４に示すように、ステップＳ２０００で取得した患者１０６の頭部を示す画像と、変更部４２により変更された頭部の態様を示す画像を並列して表示する。このとき、表示部１１６に表示した画像は、回転、縮小、拡大して異なる方向から仕上がりを確認できるようにしてもよい。これにより、施術前と施術後の変化を全ての方向から確認できる。
【００４６】
また、図５に示すように、異なるパラメータの数値に基づいた頭部の態様を示す複数の画像を並列して表示してもよい。
【００４７】
例えば、図５（ａ）に示すように、施術する毛髪の本数と追加本数を入力可能な入力欄を設け、それらに数値を入力することにより、施術する毛髪の本数がそれぞれ異なる場合の頭部の態様を示す画像を並列表示する。これにより、所望の仕上がりを実現するために施術するべき毛髪の本数を容易に把握することができる。
【００４８】
また、図５（ｂ）のように、任意の再生効率と変化率を指定可能な入力欄を設け、異なる再生効率に基づいた複数の頭部の態様を表示してもよい。
【００４９】
再生効率は様々な要因により変化するため複数の再生効率に基づいた頭部の態様を表示することが望ましい。そのため、例えば、図５（ｂ）に示すように任意の再生効率と変化率を指定し、複数の頭部の態様を表示する。具体的には、例えばユーザが再生効率を５０％、変化率を５％と指定した場合、再生効率が５０％の場合の頭部の態様と、再生効率が５５％の場合の頭部の態様と、再生効率が６０％の場合の頭部の態様とを表示する。なお、入力される再生効率は、理想値よりも、下回ることはないと考えられる値であることが望ましい。また、上記の再生効率と変化率の数値、及び並列して表示する頭部の態様の数は一例であってこれに限定されない。これにより、患者１０６は、好ましい結果が得られる場合と妥当な結果が得られる場合の両方の仕上がりを確認できる。
【００５０】
また、上記のように並列して表示することにより、例えば、実際には再生効率５０％が見込まれるが、患者１０６は再生効率６０％と同等の仕上がりを得たいと考える場合が考えられる。この場合、例えば、再生効率６０％と同等の仕上がりを得るために必要な追加の毛髪の本数の値などを提示してもよい。すなわち、表示制御部４３は、第１の再生効率よりも低い第２の再生効率に基づいた頭部の態様が、第１の再生効率に基づいた頭部の態様に近づくようなパラメータの変更値を表示部に表示してもよい。
【００５１】
さらに、表示制御部４３は、施術する毛髪の本数と、再生効率の両方を段階的に変化させた場合の、頭部の態様を示す複数の画像を表示部１１６に表示させてもよい。すなわち、パラメータを変化させた複数の頭部の態様を示す画像を並列表示させる場合、パラメータの組み合わせは上記に限定されない。
【００５２】
なお、必ずしもステップＳ２０００で取得した患者１０６の頭部を示す画像と、変更部４２により変更された頭部の態様を示す画像とを並列表示する必要はなく、変更部４２により変更された頭部の態様を示す画像のみを表示してもよい。
【００５３】
また、表示制御部４３は、図４（ｄ）に示すように、ユーザにより入力された各種のパラメータに基づく施術料金を、頭部を示す画像と並列して表示してもよい。施術料金は、毛髪１本あたりの単価と、施術を行う毛髪の総量から算出されるため、ステップＳ２０１０において入力されたパラメータに基づいて連動して変化する。また、施術対象となる領域が複数ある場合には、領域ごとに施術料金を算出してもよい。さらに、オプションなどにより追加の料金が発生する場合には、それらの料金も加算した総額を表示してもよい。すなわち、表示制御部４３は、患者の頭部を示す画像と、前記頭部における毛髪の追加量に応じて発生する費用とを、ともに表示部に表示する。また、パラメータを段階的に変化させた場合の、複数の頭部の態様を示す画像を表示部１１６に表示する場合には、それぞれに対応する施術料金を表示してもよい。さらに、施術後の任意時間の頭髪の経時変化を並列して表示したり、患者１０６の頭部を撮像して得られた動画などを表示してもよい。
【００５４】
以上によって、画像表示装置１００の処理が実施される。
【００５５】
本実施形態によれば、患者の頭部に関するパラメータに基づいて態様を変化させた患者の頭部を示す画像を表示部に表示できるため、患者にとってより信頼度の高い情報を提示することができる。より具体的には、毛髪再生において考慮するべき毛髪の再生効率を含むパラメータに基づいて頭部の態様を変化させることにより、より現実的な施術後の頭部の状態を患者に提示することができる。さらに、患者の頭部に関するパラメータの入力値から算出される施術料金も表示することにより、患者は、どのパラメータをどの程度の値にすれば所望の料金に収まるのかを容易に認識できる。また、患者の頭部に関するパラメータに異なる値を入力した場合の頭部の態様を複数並列表示することにより、患者は、施術後の所望の状態を容易に認識できる。
【００５６】
＜その他の実施形態＞
開示の技術は例えば、システム、装置、方法、プログラム若しくは記録媒体（記憶媒体）等としての実施態様をとることが可能である。具体的には、複数の機器（例えば、ホストコンピュータ、インターフェイス機器、撮像装置、ｗｅｂアプリケーション等）から構成されるシステムに適用しても良いし、また、１つの機器からなる装置に適用しても良い。
【００５７】
また、本発明の目的は、以下のようにすることによって達成されることはいうまでもない。すなわち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【００５８】
本発明においては、毛髪再生の画像表示方法として説明した。一方、本発明の表示は他の領域でも使用可能である。その一例としては、皮膚の再生である。皮膚ガンに侵された場合、患部を除去する。この際、レーザを用いて患部を除去した後、培養した細胞を患部に吐出する治療方法が考えられる。この際、毛髪再生とはパラメータが異なるが、施術面積と再生効率に応じて見た目と費用が変わるのは同じであるため、本件は、その他の再生医療、審美分野への適用が可能である。
【符号の説明】
【００５９】
１００  画像表示装置
１０１  撮像装置
１０６  患者
１１５  操作部
１１６  表示部
１１７  制御部
【図１】
2020183887.tif 000003
【図２】
2020183887.tif 000004
【図３】
2020183887.tif 000005
【図４】
2020183887.tif 000006
【図５】
2020183887.tif 000007